(57)【要約】  簡便な操作でサンプル中のターゲットを分析できる、小型化可能なツール、およびそれを用いた分析方法を提供する。  本発明の分析セルは、本体基板と、試料の注入口用のカバー部材と、排気口用のカバー部材とを有し、前記本体基板は、流路、外部と連通する試料の注入口および排気口を有し、前記注入口は、前記流路の上流端部と連通し、前記排気口は、前記流路の下流端部と連通し、前記流路は、その上流側から下流側に向かって広がる形状を有し、前記注入口用のカバー部材は、液密性の部材であり、使用時において前記注入口に固定化でき、前記排気口用のカバー部材は、液密性且つ通気性の部材であり、使用時において前記排気口に固定化できる、ことを特徴とする。
2018025705.tif 000002
【特許請求の範囲】
【請求項１】
本体基板と、試料の注入口用のカバー部材と、排気口用のカバー部材とを有し、
前記本体基板は、
流路、外部と連通する試料の注入口および排気口を有し、
前記注入口は、前記流路の上流端部と連通し、前記排気口は、前記流路の下流端部と連通し、
前記流路は、
その上流側から下流側に向かって広がる形状を有し、前記注入口用のカバー部材は、
液密性の部材であり、使用時において前記注入口に固定化でき、
前記排気口用のカバー部材は、
液密性且つ通気性の部材であり、使用時において前記排気口に固定化できる、ことを特徴とする分析セル。
【請求項２】
前記本体基板が、少なくとも２つの前記排気口を有し、
前記２つの排気口は、前記流路の流れ方向に対する垂直方向に配置されている、請求項１記載の分析セル。
【請求項３】
前記注入口用カバー部材は、シール部材であり、前記分析セルへのサンプルの注入後、前記注入口に固定化される、請求項１または２記載の分析セル。
【請求項４】
前記注入口用カバー部材は、キャップ部材であり、前記注入口に着脱可能である、請求項１または２記載の分析セル。
【請求項５】
前記本体基板は、その上面に、上方向に突出した筒状の突出部を有し、
前記突出部の開口が前記注入口である、請求項１〜４のいずれか一項に記載の分析セル。
【請求項６】
前記試料注入口用のカバー部材は、キャップ部材であり、前記突出部と嵌合可能である、請求項５記載の分析セル。
【請求項７】
前記流路が試薬部を有し、前記試薬部に試薬が配置されている、請求項１〜６のいずれか一項に記載の分析セル。
【請求項８】
前記試薬部に、前記試薬を含む熱溶解性フィルムが配置されている、請求項７記載の分析セル。
【請求項９】
前記熱溶解性フィルムが、アガロースフィルム、寒天フィルム、カラギーナンフィルム、およびゼラチンフィルムからなる群から選択された少なくとも１つである、請求項８記載の分析セル。
【請求項１０】
前記試薬部に、前記試薬と難水溶性物質とを含む乾燥組成物が配置されている、請求項７記載の分析セル。
【請求項１１】
さらに、着脱可能な防汚部材を有し、
前記防汚部材は、流れ方向において、前記排気口用のカバー部材の後方に配置される、請求項１〜１０のいずれか一項に記載の分析セル。
【請求項１２】
前記本体基材は、さらに、排気バイパスを有し、
前記排気用バイパスは、その一端が、前記注入口と連通し、その他端が、前記排気口用のカバー部材を介して前記排気口と連通している、請求項１〜１１のいずれか一項に記載の分析セル。
【請求項１３】
前記流路は、前記流路の流れ方向に対して垂直方向の断面形状が、多角状、円状、楕円状、および半円状からなる群から選択された少なくとも１つである、請求項１〜１２のいずれか一項に記載の分析セル。
【請求項１４】
前記本体基板は、直方体であり、
前記本体基板の外面のうち、前記流路の流れ方向と並行ないずれかの面が、加熱される加熱面であり、
前記本体基板の外面のうち、前記加熱面を除く少なくとも１つの面が、光照射される照射面であり、
前記本体基板の外面のうち、前記加熱面を除く少なくとも１つの面が、前記流路内で発生する光を取り出す取り出し面である、請求項１〜１３の分析セル。
【請求項１５】
前記本体基板の少なくとも１つの面において、前記流路に対応する領域は、励起光を透過する部材で形成されている、請求項１から１４のいずれか一項に記載の分析セル。
【請求項１６】
前記本体基板において、前記流路の下流末端より下流側は、蛍光を透過する部材で形成されている、請求項１から１５のいずれか一項に記載の分析セル。
【請求項１７】
前記本体基板が、光を透過する部材で形成されている、請求項１〜１６のいずれか一項に記載の分析セル。
【請求項１８】
前記光を透過する部材が、透明部材である、請求項１５〜１７のいずれか一項に記載の分析セル。
【請求項１９】
前記試薬が、核酸増幅用試薬である、請求項１〜１８のいずれか一項に記載の分析セル。
【請求項２０】
分析セルの挿入部、分析セルの加熱部、分析セルに光を照射する光源、分析セルからの光を検出する光検出部および検出された光をシグナルに変換するシグナル変換部を有し、
請求項１〜１９のいずれか一項に記載の分析セル用であることを特徴とする分析デバイス。
【請求項２１】
前記挿入部は、前記分析セルの挿入方向が、前記分析セルの流路方向と、並行であり、
前記挿入部の側面のうち、前記分析セルの挿入方向と並行ないずれかの側面であって、その内側または外側に、前記加熱部が配置され、
前記挿入部の側面のうち、前記加熱部の配置面を除く少なくとも１つの側面であって、その内側に、光源が配置され、
前記挿入部の側面のうち、前記加熱部の配置面および前記光源の配置面を除く少なくとも１つの側面であって、その内側に、前記光検出部が配置されている、請求項２０記載の分析デバイス。
【請求項２２】
前記光検出部が、蛍光フィルタ、レンズおよび光検出器を有し、
前記挿入部の側面に近い方から、前記蛍光フィルタ、前記レンズおよび前記光検出器がこの順序で配置されている、請求項２１記載の分析デバイス。
【請求項２３】
前記挿入部と前記加熱部との間に、熱伝導板が配置されている、請求項２２記載の分析デバイス。
【請求項２４】
さらに、端子を有する、請求項２０〜２３のいずれか一項に記載の分析デバイス。
【請求項２５】
さらに、記憶手段を有し、
前記記憶手段は、前記シグナル変換部で変換されたシグナルデータを記憶する、請求項２０〜２４のいずれか一項に記載の分析デバイス。
【請求項２６】
前記光源が、面照射型の光源である、請求項２０から２５のいずれか一項に記載の分析デバイス。
【請求項２７】
前記光源が、発光ダイオード（ＬＥＤ）である、請求項２０から２６のいずれか一項に記載の分析デバイス。
【請求項２８】
請求項１〜１９のいずれか一項に記載の分析セルと請求項２０〜２７のいずれか一項に記載の分析デバイスとを有することを特徴とする分析装置。
【請求項２９】
分析手段と、記憶手段と、表示手段とを有し、
前記分析手段は、試料の分析を行う請求項２８記載の分析装置であり、
前記記憶手段は、前記分析手段による分析結果を記憶する手段であり、
前記表示手段は、前記分析結果を表示する手段であることを特徴とする分析システム。
【請求項３０】
端末とサーバとを有し、
前記端末が、前記分析手段を有し、
前記サーバが、前記記憶手段および前記表示手段を有し、
前記端末と前記サーバは、通信回線網を介して接続可能である、請求項２９記載の分析システム。
【請求項３１】
端末とサーバとを有し、
前記端末が、前記分析手段を有し、
前記分析手段が、さらに端子を有し、
前記サーバが、前記記憶手段および前記表示手段を有し、
前記端末と前記サーバは、前記端末の端子を介して前記サーバに接続可能である、請求項２９記載の分析システム。
【請求項３２】
前記端子が、外部接続端子である、請求項３１記載の分析システム。
【発明の詳細な説明】
【技術分野】
【０００１】
本発明は、分析セル、分析デバイス、分析装置および分析システムに関する。
【背景技術】
【０００２】
近年、ウイルスや細菌等による感染症は、生体試料における感染源のターゲット遺伝子の検出が一般的な検査方法となっている。前記ターゲット遺伝子の検出は、一般的に、採取した試料について前処理を行い、前処理後の試料について、プライマーを用いた前記ターゲット遺伝子の核酸増幅を行い、前記核酸増幅の有無または量を検出することによって行われている。このように複数のステップを要し、専用の装置等が必要であることから、前記ターゲット遺伝子の検出は、病院等の医療機関または専門の検査機関によって行われる。【０００３】
他方、以下のように、検査機関等でなく、個人レベルでの検出が求められているという実情がある。例えば、風邪の症状が出た場合、インフルエンザウイルスか否かを予め自宅で検査できれば、他者への二次感染の防止の観点からも望ましい。また、感染症の中でも、特に、ＨＩＶウイルス、カンジダ等の性感染症に関しては、病院での検査を躊躇し、発見が遅れることが多いため、自宅で検査できれば、早期の発見が可能となる。【０００４】
このような自宅での検査を実現するには、操作が簡便であり、検査に使用するデバイスも小型であることが必要であり、そのようなPoint-of-care-testing（POCT）用のデバイスの開発も試みられている。例えば、核酸増幅を利用した分析デバイスとしては、マイクロチューブ型が開示されている（特許文献１）。この分析デバイスは、いわゆるエッペンドルフチューブを利用するものであり、前記チューブ内で反応を行い、前記チューブの上方から励起光を照射し、同じ上方から前記チューブ内の蛍光を測定する。しかし、前記エッペンドルフチューブを使用する場合、ヒートブロックの使用が必要であるため、大型となる。
【先行技術文献】
【特許文献】
【０００５】
【特許文献１】特開２００３−１９０７７２号公報
【０００６】
しかしながら、試料の前処理、前記試料と核酸増幅用の試薬との混合、核酸増幅反応、前記反応の検出の全てを行う必要があるため、依然、個人レベルで使用できる、操作が簡便な小型のデバイスは、提供されていない。
【発明の概要】
【発明が解決しようとする課題】
【０００７】
そこで、本発明は、例えば、簡便な操作でサンプル中のターゲットを分析できる、小型化可能なツール、およびそれを用いた分析方法を提供することを目的とする。
【課題を解決するための手段】
【０００８】
前記目的を達成するために、本発明の分析セルは、
本体基板と、試料の注入口用のカバー部材と、排気口用のカバー部材とを有し、
前記本体基板は、
流路、外部と連通する試料の注入口および排気口を有し、
前記注入口は、前記流路の上流端部と連通し、前記排気口は、前記流路の下流端部と連通し、
前記流路は、
その上流側から下流側に向かって広がる形状を有し、前記注入口用のカバー部材は、
液密性の部材であり、使用時において前記注入口に固定化でき、
前記排気口用のカバー部材は、
液密性且つ通気性の部材であり、使用時において前記排気口に固定化できる、ことを特徴とする。【０００９】
本発明の分析デバイスは、分析セルの挿入部，分析セルの加熱部、分析セルに光を照射する光源、分析セルからの光を検出する光検出部および検出された光をシグナルに変換するシグナル変換部を有し、前記本発明の分析セル用であることを特徴とする。【００１０】
本発明の分析装置は、前記本発明の分析セルと前記本発明の分析デバイスとを有することを特徴とする。【００１１】
本発明の分析キットは、前記本発明の分析デバイスと、前記本発明の分析セルとを含むことを特徴とする。【００１２】
本発明の分析方法は、
分析手段と、記憶手段と、表示手段とを有し、
前記分析手段は、試料の分析を行う前記本発明の分析装置であり、
前記記憶手段は、前記分析手段による分析結果を記憶する手段であり、
前記表示手段は、前記分析結果を表示する手段であることを特徴とする。
【発明の効果】
【００１３】
本発明によれば、例えば、分析セルおよび分析デバイス等の小型化が可能であり、簡便な操作で試料中のターゲットを分析できる。
【図面の簡単な説明】
【００１４】
【図１】図１は、本発明の分析セルの一例を模式的に示す図であり、（Ａ）は、上面図、（Ｂ）は、前記（Ａ）のＩ−Ｉ方向の断面図であり、（Ｃ）は、前記（Ａ）のII−II方向の断面図である。
【図２】図２は、本発明の分析セルにおける排出口のバリエーションを示す上面図である。
【図３】図３は、本発明の分析セルにおける流路の広がり角度を示す概略図である。
【図４】図４は、本発明の分析セルの使用方法を示す概略図である。
【図５】図５は、本発明の分析セルにおける試薬部の一例を示す断面図である。
【図６】図６は、本発明の分析セルにおける試薬部の一例を示す断面図である。
【図７】図７は、本発明の分析セルの一例を示す断面図である。
【図８】図８は、本発明の分析セルの一例を示す断面図である。
【図９】図９は、本発明の分析セルの一例を示す断面図である。
【図１０】図１０は、本発明の分析セルにおける排出口のバリエーションを示す上面図である。
【図１１】図１１は、本発明の分析デバイスと本発明の分析セルの使用方法の一例を模式的に示す断面図である。
【図１２】図１２は、本発明の分析システムにおける表示画面の一例を示す模式図である。
【図１３】図１３は、本発明の実施例１におけるセルの流路を示す写真である。
【図１４】図１４は、本発明の実施例２におけるセルの流路を示す写真である。
【発明を実施するための形態】
【００１５】
本発明の分析セルは、例えば、前記本体基板が、少なくとも２つの前記排気口を有し、前記２つの排気口は、流路方向に対する垂直方向に配置されている。
【００１６】
本発明の分析セルは、例えば、前記注入口用のカバー部材は、シール部材であり、前記分析セルへの試料の注入後、前記注入口に固定化される。
【００１７】
本発明の分析セルは、例えば、前記注入口用のカバー部材は、キャップ部材であり、前記注入口に着脱可能である。
【００１８】
本発明の分析セルは、例えば、前記本体基板は、その上面に、上方向に突出した筒状部を有し、前記筒状部の開口が前記注入口である。
【００１９】
本発明の分析セルは、例えば、前記試料注入口用のカバー部材は、キャップ部材であり、前記突出部と嵌合可能である。
【００２０】
本発明の分析セルは、例えば、前記流路が試薬部を有し、前記試薬部に試薬が配置されている。
【００２１】
本発明の分析セルは、例えば、前記試薬部に、前記試薬を含む熱溶解性フィルムが配置されている。
【００２２】
本発明の分析セルは、例えば、前記熱溶解性フィルムが、アガロースフィルム、寒天フィルム、カラギーナンフィルム、およびゼラチンフィルムからなる群から選択された少なくとも１つである。
【００２３】
本発明の分析セルは、例えば、前記試薬部に、前記試薬と難水溶性物質とを含む乾燥組成物が配置されている。
【００２４】
本発明の分析セルは、例えば、さらに、着脱可能な防汚部材を有し、前記防汚部材は、流れ方向において、前記排気口用のカバー部材の後方に配置される。
【００２５】
本発明の分析セルは、例えば、前記本体基材は、さらに、排気バイパスを有し、前記排気用バイパスは、その一端が、前記注入口と連通し、その他端が、前記排気口用のカバー部材を介して前記排気口と連通している。
【００２６】
本発明の分析セルは、例えば、前記流路の流れ方向に対して垂直方向の断面形状が、多角状、円状、楕円状、および半円状からなる群から選択された少なくとも１つである。
【００２７】
本発明の分析セルは、例えば、前記本体基板は、直方体であり、前記本体基板の外面のうち、前記流路の流れ方向と並行ないずれかの面が、加熱される加熱面であり、前記本体基板の外面うち、前記加熱面を除く少なくとも１つの面が、光照射される照射面であり、前記本体基板の外面のうち、前記加熱面を除く少なくとも１つの面が、前記流路内で発生する光を取り出す取り出し面である。
【００２８】
本発明の分析セルは、例えば、前記本体基板の少なくとも１つの面において、前記流路に対応する領域は、励起光を透過する部材で形成されている。
【００２９】
本発明の分析セルは、例えば、前記本体基板において、前記流路の下流末端より下流側は、蛍光を透過する部材で形成されている。
【００３０】
本発明の分析セルは、例えば、前記本体基板が、光を透過する部材で形成されている。
【００３１】
本発明の分析セルは、例えば、前記光を透過する部材が、透明部材である。
【００３２】
本発明の分析セルは、例えば、前記試薬が、核酸増幅用試薬である。
【００３３】
本発明の分析デバイスは、例えば、前記挿入部は、前記分析セルの挿入方向が、前記分析セルの流路方向と、並行であり、
前記挿入部の側面のうち、前記分析セルの挿入方向と並行ないずれかの側面であって、その内側または外側に、前記加熱部が配置され、
前記挿入部の側面のうち、前記加熱部の配置面を除く少なくとも１つの側面であって、その内側に、光源が配置され、
前記挿入部の側面のうち、前記加熱部の配置面および前記光源の配置面を除く少なくとも１つの側面であって、その内側に、前記光検出部が配置されている。
【００３４】
本発明の分析デバイスは、例えば、前記光検出部が、蛍光フィルタ、レンズおよび光検出器を有し、前記挿入部の側面に近い方から、前記蛍光フィルタ、前記レンズおよび前記光検出器がこの順序で配置されている。
【００３５】
本発明の分析デバイスは、例えば、前記挿入部と前記加熱部との間に、熱伝導板が配置されている。
【００３６】
本発明の分析デバイスは、例えば、さらに、端子を有する。
【００３７】
本発明の分析デバイスは、例えば、さらに、記憶手段を有し、
前記記憶手段は、前記シグナル変換部で変換されたシグナルデータを記憶する。
【００３８】
本発明の分析デバイスは、例えば、前記光源が、面照射型の光源である。
【００３９】
本発明の分析デバイスは、例えば、前記光源が、発光ダイオード（ＬＥＤ）である。
【００４０】
本発明の分析システムは、例えば、端末とサーバとを有し、
前記端末が、前記分析手段を有し、
前記サーバが、前記記憶手段および前記表示手段を有し、
前記端末と前記サーバは、通信回線網を介して接続可能である。
【００４１】
本発明の分析システムは、例えば、端末とサーバとを有し、
前記端末が、前記分析手段を有し、前記分析手段が、さらに端子を有し、
前記サーバが、前記記憶手段および前記表示手段を有し、
前記端末と前記サーバは、前記端末の端子を介して前記サーバに接続可能である。
【００４２】
本発明の分析システムは、例えば、前記端子が、外部接続端子である。
【００４３】
以下、本発明について、例を挙げてさらに具体的に説明する。ただし、本発明は、以下の説明により限定されない。
【００４４】
本発明は、分析セル、分析デバイス、分析装置、および分析システムに関する。本発明によれば、例えば、本発明の分析セルにより、試料と試薬とを混合して反応系の調製を行った後、これを、前記本発明の分析デバイスにセットすることで、本発明の分析装置および分析システムを構築し、前記試料の分析を行うことができる。
【００４５】
［分析セル］
本発明の分析セルは、前述のように、本体基板と、試料の注入口用のカバー部材と、排気口用のカバー部材とを有し、
前記本体基板は、
流路、外部と連通する試料の注入口および排気口を有し、
前記注入口は、前記流路の上流端部と連通し、前記排気口は、前記流路の下流端部と連通し、
前記流路は、
その上流側から下流側に向かって広がる形状を有し、前記注入口用のカバー部材は、
液密性の部材であり、使用時において前記注入口に固定化でき、
前記排気口用のカバー部材は、
液密性且つ通気性の部材であり、使用時において前記排気口に固定化できる、ことを特徴とする。
【００４６】
本発明の分析セルは、例えば、後述する本発明の分析デバイスに挿入することで、試料の分析を行うことができる。
【００４７】
本発明において「流れ方向」は、前記流路に供給される試料が流れる方向であり、例えば、前記注入口側が上流であり、前記排気口側が下流である。本発明において「上下方向」は、本発明の分析セルの使用時における鉛直方向であり、例えば、前記分析セルを台に置いた状態で、前記台と対面する側が下方向であり、その反対方向が上方向である。本発明において「幅方向」は、例えば、前記流れ方向および前記上下方向の両方に対する垂直方向である。
【００４８】
（１）本体基板
前記本体基板は、前述のように、前記流路と、前記注入口と、前記排気口とを有し、前記注入口は、前記流路の上流端部と連通し、前記排気口は、前記下流端部と連通する。
【００４９】
前記本体基板は、例えば、１つの基板から構成されてもよいし、２つまたは２つ以上の基板から構成されてもよい。後者の場合、前記本体基板は、例えば、上基板と下基板とを含み、前記上基板と前記下基板との積層体である。
【００５０】
前記本体基板の全体形状は、特に制限されない。前記本体基板の全体の主となる形状は、例えば、直方体または平板形状であり、例えば、長さと幅と厚みにおいて、上下方向の厚みがもっとも短い長さである。前記本体基板の大きさは、特に制限されない。
【００５１】
前記本体基板の材質は、特に制限されないが、樹脂、ガラス等があげられ、前記樹脂は、例えば、後述するような光透過性の樹脂が好ましい。
【００５２】
（２）流路
前記本体基板において、前記流路は、例えば、その内部に形成されており、具体的には、前記本体基板の内部における中空領域であることが好ましい。前記本体基板が前記上基板と前記下基板とを含む場合、前記流路は、例えば、前記上基板と前記下基板とを対向するように積層することで形成される。具体例として、前記上基板が前記下基板との対向面に凹部を有する場合、前記上基板と前記下基板とを積層すると、前記上基板の凹部とこれを覆う前記下基板とによって空間が形成され、これが前記流路となる。また、前記下基板が前記上基板との対向面に凹部を有する場合、前記上基板と前記下基板とを積層すると、前記下基板の凹部とこれを覆う前記上基板とによって空間が形成され、これが前記流路となる。また、前記上基板と前記下基板とが、それぞれ、両者の対向面に凹部を有する場合、前記上基板と前記下基板とを積層すると、前記両基板の凹部によって空間が形成され、これが前記流路となる。
【００５３】
前記流路は、前述のように、その上流側から下流側に向かって広がる形状（以下、「広がり形状」ともいう）を有する。前記広がり形状は、例えば、その上流側から下流側に向かって、幅方向に前記広がり形状であることが好ましい。前記流路は、例えば、前記上流側から下流側の全長にわたって前記広がり形状を有してもよいし、一部に前記広がり形状を有してもよい。前記広がり形状を有する流路としては、具体例として、例えば、テーパー形状、ティアドロップ形状等の流路があげられる。
【００５４】
前記流路の広がり形状は、例えば、１＜（ｂ／ａ）の式を満たすことが好ましい。前記式において、「ａ」は、前記流路における上流側端部の断面積であり、「ｂ」は、前記流路における下流側端部の断面積である。
【００５５】
前記流路において前記広がり形状の広がり角度は、特に制限されない。前記広がり角度は、例えば、前記流路における広がり形状の上流側端部を基準とし、下流側端部の幅方向への広がり角度として表すことができる。図３に、前記流路と前記広がり角度との概略を示す。図３において、広がり形状の内部が流路であり、Ｒは、前記流路の上流側端部であり、αが、広がり角度である。前記広がり角度（α）は、例えば、０．０１〜６０度である。
【００５６】
前記流路の断面の形状は、特に制限されない。前記流路の断面とは、前記流路の流れ方向に対して垂直方向の断面であり、具体的には、前記流路内部の空隙の断面である。前記流路の断面の形状は、例えば、多角形、円形等があげられる。前記多角形は、例えば、四角形、三角形、逆三角形等であり、前記四角形は、例えば、正方形、長方形、ひし形等があげられ、前記円形は、例えば、真円、楕円、半円等があげられる（以下、同様）。
【００５７】
前記流路の内壁は、例えば、平面でもよいし、滑面でもよいし、粗面でもよい。前記粗面の場合、例えば、溝を有してもよいし、ひだ形状でもよい。
【００５８】
本発明の分析セルは、例えば、前記流路の断面形状によって、前記流路を試料が流れる際の毛管現象をコントロールできる。このようにすれば、例えば、前記流路の全体において同様の毛管現象に設定したり、前記流路の任意の領域のみ異なる毛管現象に設定したりすることができる。そして、これによって、例えば、前記サンプルが注入された際、前記流路中の試薬部における試薬の拡散や、試薬の溶解順序をコントロールすることもできる。前記毛管現象は、例えば、前記流路の下側の両隅を、角形状または湾曲形状（曲形状）とすることとで、コントロールしてもよいし、前記流路の断面が多角形の場合、前記流路の下側の角の角度によって、コントロールしてもよい。また、前記流路の断面が円形の場合、例えば、曲面の曲率によって、コントロールしてもよい。
【００５９】
前記本体基板において、前記流路の数は特に制限されず、例えば、１本でも２本以上でもよく、小型化の点から、１本が好ましい。
【００６０】
前記流路の上流端部の幅は、例えば、前記注入口の幅とほぼ同様であることが好ましい。
【００６１】
前記流路の大きさは、特に制限されない。前記流路の中空の断面の面積は、例えば、前記注入口の断面の面積と略同様であることが好ましい。前記流路の断面の面積は、例えば、下限が、０．００１ｍｍ２以上であり、上限が、５００ｍｍ２以下であり、範囲が、０．００１ｍｍ２〜５００ｍｍ２である。前記流路が直方体の場合、前記流路の幅は、例えば、下限が、０．０５ｍｍ以上であり、上限が、５０ｍｍ以下であり、範囲が、０．０５ｍｍ〜５０ｍｍであり、前記流路の深さは、例えば、下限が、０．０２ｍｍ以上であり、上限が、１０ｍｍ以下であり、範囲が、０．０２ｍｍ〜１０ｍｍである。
【００６２】
前記流路の流れ方向の長さは、例えば、下限が、１ｍｍ以上であり、上限が、１００ｍｍ以下であり、範囲が、１ｍｍ〜１００ｍｍであり、前記上流側末端の前記幅方向の長さ（最も狭い幅）は、例えば、下限が、０．０５ｍｍ以上であり、上限が、１０ｍｍ以下であり、範囲が、０．０５〜１０ｍｍであり、前記下流側末端の前記幅方向の長さ（最も広い幅）は、例えば、下限が、０．０５ｍｍ以上であり、上限が、５０ｍｍ以下であり、範囲が、０．０５〜５０ｍｍであり、前記上下方向の長さ（深さ）は、例えば、下限が、０．０２ｍｍ以上であり、上限が、１０ｍｍ以下であり、範囲が、０．０２〜１０ｍｍである。
【００６３】
前記本体基板の材質は、特に制限されない。例えば、後述する分析デバイスに装着して光学検出を行う場合に、光照射される照射領域、前記流路内での反応により発生した光を取り出す取出領域が、光を透過する部材で形成されていることが好ましい。また、前記分析デバイスの構成に応じて、例えば、前記照射領域および前記取出領域を適宜設定できることから、前記本体基板の全体が、光を透過する部材で形成されていることが好ましい。
【００６４】
前記光を透過する部材は、例えば、励起光、検出する蛍光等の光を吸収しない部材である。前記部材は、例えば、透明部材であり、具体例として、アクリル樹脂，ポリカーボネート，ポリメチルペンテン，シクロオレフィンポリマー等の紫外線透過性ポリマー等があげられる。
【００６５】
（３）試薬部
本発明の分析セルは、例えば、予め、前記流路に、試薬が配置された試薬部を有してもよいし、使用時において、前記流路に、前記試薬と混和した試料を注入してもよい。前者の場合、前記流路は、例えば、その上流端部から下流端部の間の領域に試薬部を有している。
【００６６】
前記流路が前記試薬部を有する場合、前記試薬部の数は、特に制限されず、例えば、１つでもよいし、２つ以上でもよい。後者の場合、例えば、分析に使用する複数の試薬を、別々の試薬部として、前記流路内に配置してもよい。複数の試薬について、例えば、試料に対する添加順序を設定する場合や、試料と混合するまで試薬同士を接触させない場合、各試薬をそれぞれ別個の試薬部として前記流路に配置することが好ましい。前記複数の試薬について前記試料に対する添加順序を設定する場合、例えば、前記流路の上流端部から下流端部に向かって、添加順序にしたがって、各試薬の試薬部を配置することが好ましい。
【００６７】
前記試薬部は、前記流路に固定化されていることが好ましい。前記試薬部は、例えば、前記流路の底面、上面、側面等のいずれに配置してもよい。
【００６８】
前記試薬部の構成は、特に制限されず、前記流路の任意の領域に、分析に使用する試薬が、直接的または間接的に配置されていればよい。前記試薬は、例えば、前記流路に固定化されていることが好ましく、具体的には、試料と接触するまでは前記流路に固定化され、前記流路に導入される試料との接触により、前記流路から乖離することが好ましい。
【００６９】
前記試薬部は、例えば、第１の形態として、前記試薬を含む乾燥組成物が配置されている形態があげられる。前記試薬部によれば、例えば、液体の試料との接触により、前記試料に前記試薬が溶解される。前記乾燥組成物は、例えば、前記試薬の他に、難水溶性物質を含んでもよい。前記難水溶性物質は、例えば、液体の試料に対して拡散する徐放性物質である。前記難水溶性物質の具体例としては、例えば、デンプン、ゼラチン、牛血清アルブミン、セルロース、セルロース誘導体、ポリアクリル酸、ポリエチレンオキシド、ポリエチレングリコール、ポリビニルアルコール、ポリビニルピロリドン等の親水性高分子等があげられる。前記液体組成物は、例えば、さらに、酵素の安定化剤として、アミノ酸、塩、界面活性剤等の保護剤、ショ糖、乳糖、トレハロース等の糖等を含んでもよい。
【００７０】
このような試薬部は、例えば、前記流路の任意の領域に、前記試薬を含む液体組成物を塗布等により供給し、乾燥させることによって形成できる。前記液体組成物は、例えば、前記試薬と溶媒とを含み、さらに前記難水溶性物質を含んでもよい。前記溶媒は、特に制限されず、例えば、水、緩衝液等があげられる。前記難水溶性物質は、例えば、酵素反応を阻害せず、酵素を安定に保持し、前記試料との接触により、前記試料中に、前記試薬とともに、徐々に拡散していく物質が好ましい。
【００７１】
前記試薬部は、例えば、第２の形態として、前記試薬を含む熱溶解性フィルムが配置されている形態があげられる。「溶解性」とは、例えば、固体が、他の固体または液体を混合することを意味し、本発明において、「熱溶解性フィルム」とは、例えば、加熱によって、前記フィルムが試料中に拡散されることを意味する。核酸増幅においては、反応液を反応温度まで加熱していき、前記反応温度に達するまでに、鋳型核酸にプライマーをアニーリングさせ、前記反応温度で酵素により核酸増幅が行われる。しかし、前記反応温度に達するまでの間に、鋳型核酸に対して前記プライマーが非特異的にアニーリングし、反応が開始され、非特異的な増幅が生じ、その結果、測定誤差が生じる場合がある。これに対して、本形態によれば、前記流路にサンプルが導入された後でも、例えば、前記熱溶解性フィルムが溶解するまで、前記試薬は前記熱溶解性フィルムに含まれた状態であることから、前記試料と前記試薬との反応が抑制され、非特異的なアニーリングや増幅を防止できる。そして、加熱によって前記熱溶解性フィルムが溶融することによって、前記試薬が試料中に拡散され、前記試料と前記試薬との反応を開始することができる。
【００７２】
前記熱溶解性フィルムは、例えば、所定温度以上で溶解するフィルムが好ましく、所定温度以上で溶融するフィルムということもできる。前記所定温度は、例えば、前記試薬による所望の反応温度であり、核酸増幅の場合、例えば、９０℃、６５℃、５０℃である。前記熱溶解性フィルムは、例えば、熱溶解性ポリマー製フィルムであり、具体例として、アガロース、アガロース誘導体、寒天、カラギーナン、およびゼラチン等の熱溶解性ポリマー等のフィルムがあげられる。これらの熱溶解性ポリマーによれば、例えば、前記フィルム中の試薬、中でも乾燥状態における酵素の安定性もより保持することができる。前記試薬を含む熱溶解性フィルムは、例えば、前記熱溶解性ポリマーの溶液に前記試薬を混合し、この混合液を乾燥してフィルム化することで得られる。前記熱溶解性ポリマーは、例えば、分析における反応温度と、前記ポリマーの溶解温度とから、適宜選択できる。
【００７３】
本発明において、前記試薬の種類は、特に制限されず、本発明の分析セルを使用する分析方法に応じて、適宜設定できる。具体例として、核酸増幅を利用した分析方法の場合、前記試薬は、例えば、核酸増幅試薬である。この場合、本発明の分析セルは、例えば、核酸増幅用セルともいう。前記核酸増幅試薬は、例えば、ポリメラーゼ等の酵素、ｄＮＴＰ等の基質、プライマー、プローブ、蛍光物質等があげられる。前記各試薬（例えば、前記酵素およびプライマー等）は、例えば、核酸増幅法に応じて適宜選択できる。前記核酸増幅法は、特に制限されず、例えば、等温増幅法、非等温増幅法（例えば、ＰＣＲ等）があげられる。
【００７４】
前記蛍光物質は、例えば、ＳＹＢＲ（登録商標）Ｇｒｅｅｎ等のインターカレータ、ルテニウム錯体等があげられる。また、前記蛍光物質は、例えば、プローブまたはプライマーの標識物質でもよい。
【００７５】
前記標識化プライマーとしては、例えば、特許第４３７０３８５号等のエキシトン効果を示すプライマーが例示できる。前記標識化プローブとしては、例えば、特許第４７６１０８６号等のエキシトン効果を示すプローブがあげられる。
【００７６】
前記試薬は、例えば、試料の前処理試薬を含んでもよい。前記前処理試薬は、例えば、前記サンプルの種類によって適宜決定できる。
【００７７】
（４）注入口
前記本体基板において、前記注入口は、前述のように、前記流路の上流端部と連通していればよい。
【００７８】
前記注入口の数は、特に制限されず、例えば、前記流路１つに対して１つ有している。前記注入口は、例えば、前記本体基板において、前記流路の上流側端部の上方に設けられた貫通孔であることが好ましい。前記注入口の形状は、特に制限されず、多角形、円形等があげられる。
【００７９】
前記注入口の大きさは、特に制限されない。前記注入口の断面の面積は、例えば、下限が、０．００８ｍｍ２以上であり、上限が、３１４ｍｍ２以下であり、範囲が、０．００８〜３１４ｍｍ２である。前記注入口が円形の場合、その断面の半径は、例えば、下限が、０．０５ｍｍ以上であり、上限が、１０ｍｍ以下であり、範囲が、０．０５ｍｍ〜１０ｍｍである。
【００８０】
サンプルは、例えば、前記本体基板における前記注入口から、ピペットチップ、スポイト等のサンプル供給用ツールの先端を導入し、前記流路に注入される。このため、例えば、前記注入口から前記流路の上流端部までが、前記サンプル供給用ツールのガイドの役割を兼ねることが好ましい。前記開口から前記流路の上流端部までの領域は、例えば、中空の筒状部であることが好ましい。前記筒状部の内部の断面形状は、特に制限されず、多角形、円形等があげられる。前記筒状部は、以下、ガイド部ともいう。
【００８１】
前記本体基板は、例えば、その上面に、上方向に突出した筒状の突出部を有してもよい。この場合、例えば、前記突出部の開口が前記注入口であり、前記注入口から前記流路の上流端部までが、前記筒状部（ガイド部）となる。前記筒状部の内部は、例えば、上下方向において同じ大きさでもよいし、上から下に向かって狭くなるテーパー状でもよい。
【００８２】
前記筒状部の軸方向の長さ（上下方向の高さ）は、例えば、下限が、０．１ｍｍ以上であり、上限が、２０ｍｍ以下であり、範囲が、０．１〜２０ｍｍである。前記筒状部が前記本体基板の上面において上方向に突出する場合、前記突出した領域の軸方向の長さは、例えば、下限が、０．１ｍｍ以上であり、上限が、２０ｍｍ以下であり、範囲が、０．１ｍｍ〜２０ｍｍである。
【００８３】
（５）注入口用のカバー部材
本発明の分析セルにおいて、試料注入口用のカバー部材は、以下、注入口カバー部材ともいう。前記注入口カバー部材は、液密性の部材であり、使用時において前記注入口に固定化できる。本発明において、液密性とは、例えば、液体の通過を阻止することを意味する。前記注入口カバー部材は、例えば、液体に関しては、液密性であればよく、気体に関しては、通気性でもよいし、気密性でもよい。本発明において、通気性とは、例えば、気体を通過させることを意味し、気密性とは、例えば、気体の通過を阻止することを意味する。前記注入口への前記カバー部材の装着により、例えば、前記注入口から、外部の物質が前記分析セルの内部に混入したり、前記分析セルの内部に注入したサンプルが、前記注入口から外部に漏れ出ることを防止できる。前記注入口への前記カバー部材の固定化は、例えば、前記分析セルの流路に、前記注入口から試料を注入した後に行われる。
【００８４】
前記注入口カバー部材は、例えば、シール部材があげられる。前記シール部材は、例えば、前記分析セルの流路に試料を注入した後、前記注入口に固定化される。前記シール部材は、例えば、前記セルの注入口に固定化した後、人為的に剥離可能であってもよいが、人為的に剥離が困難な程度に強固に固定化されてもよい。後者の場合、例えば、より確実に、外部からの不純物の混入、内部からの試料の漏出を防止できる。
【００８５】
前記注入口カバー部材は、例えば、キャップ部材でもよい。前記カバー部材は、例えば、前記本体基板に、直接的または間接的に連結されてもよいし、前記本体基板とは独立した部材であり、使用時において前記注入口に装着してもよい。
【００８６】
前記注入口カバー部材の形状は、特に制限されず、前記注入口の形状に応じて適宜設定でき、前記注入口と嵌合可能であることが好ましい。前記本体基板が、前述のように、筒状部の突出部を有する場合、前記カバー部材は、例えば、前記突出部と嵌合可能であることが好ましい。前記本体基板が前記突出部を有する場合、例えば、前記突出部に前記カバー部材を装着し、その部分を、本発明の分析セルの把持部とすることもできる。
【００８７】
前記注入口カバー部材は、取扱い性の点から、例えば、樹脂製であることが好ましい。前記注入カバー部材がキャップ部材の場合、前記樹脂としては、例えば、ＴＰＥ等のエラストマー等があげられる。前記注入口カバー部材が前記シール部材の場合、例えば、熱融着フィルム、粘着性シール等が使用できる。
【００８８】
（６）排出口
前記本体基板において、前記注入口と前記排気口は、前述のように、前者が、前記流路の上流端部と連通し、後者が、前記流路の下流端部と連通していればよい。
【００８９】
前記排気口の数は、特に制限されず、例えば、前記流路１つに対して１つ有してもよいし、２つ以上有してもよい。前記排気口は、前記流路の下流側端部に対応する箇所に配置されていればよい。前記排気口が１つの場合、前記下流側端部における前記排気口の位置は、特に制限されず、例えば、前記流路方向に対する垂直方向（前記幅方向）のいずれかの箇所があげられる。具体例として、例えば、前記幅方向の真ん中でもよいし、前記幅方向の全域でもよい。前記排気口を２つ以上有する場合、前記下流側端部における前記排気口の位置は、特に制限されず、例えば、前記流路方向に対する垂直方向（前記幅方向）の複数の箇所があげられる。具体例として、前記排気口が２つの場合は、例えば、前記幅方向の両端があげられ、前記排気口が２つ以上の場合は、前記幅方向の両端と、その間の複数箇所があげられる。前記排気口が２つ以上の場合、各排気口の配置関係は、特に制限されず、例えば、等間隔に設けられもよいし、非等間隔に設けられてもよい。
【００９０】
前記排気口は、例えば、前記本体基板において、前記流路の上流側端部の上方に設けられた貫通孔であることが好ましい。前記排気口の形状は、特に制限されず、多角形、円形等があげられる。前記排気口が一つの場合、例えば、前記排気口の形状を多角形（具体的には長方形）とすることで、前記幅方向においてスリット状の排気口を設けてもよい。
【００９１】
前記排気口の大きさは、特に制限されず、前記排気口の数に応じて適宜決定できる。前記排気口が１つの場合、その断面の面積は、例えば、下限が、０．０００３ｍｍ２以上であり、上限が、３１，４００ｍｍ２以下であり、範囲が、０．０００３〜３１，４００ｍｍ２である。前記排気口が２つ以上の場合、その断面のトータル面積は、例えば、前述の範囲と同様である。前記排気口が円形の場合、その断面の半径は、例えば、下限が、０．０１ｍｍ以上であり、上限が、１０ｍｍ以下であり、範囲が、０．０１〜１０ｍｍである。
【００９２】
前記本体基板が前記上基板と前記下基板とを含む場合、例えば、前記下基板が、前記上基板との対向面に凹部を有し、前記上基板が、前記下基板の凹部の両端に対応する部位に２つの貫通孔を有する形態があげられる。この場合、前記上基板と前記下基板とを積層することによって、前記下基板の凹部が前記流路となり、前記上基板の一方の貫通孔が前記注入口となり、他方の貫通孔が前記排出口となる。
【００９３】
（７）排気口用のカバー部材
本発明の分析セルにおいて、前記排気口用のカバー部材は、以下、排気口カバー部材ともいう。前記排気口カバー部材は、液密性且つ通気性の部材であり、使用時において、前記排気口に固定化できる。前記排気口への前記カバー部材の装着により、例えば、前記排気口による前記流路と外部との通気を確保し、且つ、前記流路に注入したサンプルが前記排気口から外部に漏れ出ることを防止できる。また、例えば、前記サンプルは、前記カバー部材により前記排気口を通過しないことから、前記流路の体積（容積）を設定し且つ前記試料を前記排気口まで導入することで、各分析セル間での試料導入量を一定に保つことが可能である。
【００９４】
前記排気口カバー部材は、前述のように、液体の通過を阻止し、気体を通過させる部材であればよい。具体的には、本発明の分析セルに導入する試料は、例えば、生体由来試料であるため、前記カバー部材は、空気を通過させ、いわゆる水性溶媒が通過しない部材が使用できる。前記カバー部材の形態は、特に制限されず、例えば、多孔性フィルム等があげられる。前記カバー部材としては、例えば、前記疎水性フィルムがあげられ、具体例として、ゴアテックス（商標）等の透湿防水性フィルム等が使用できる。
【００９５】
前記排気口カバー部材は、例えば、前記排気口の縁部に固定されていることが好ましく、前記固定の方法は、特に制限されず、例えば、超音波溶着、熱溶着および一般的な接着剤等が使用できる。
【００９６】
（８）防汚部材
本発明の分析セルは、例えば、さらに、着脱可能な防汚部材を有してもよい。前記防汚部材は、例えば、前記流れ方向において、前記排気口カバー部材の後方に配置され、具体的には、前記排気口カバー部材を覆って配置される。前記防汚部材は、例えば、前記分析セルにサンプルを注入した後に配置され、その後、分析に供される。本発明の分析セルは、さらに前記防汚部材を有することによって、前記分析セルの内部からサンプルが漏れ出ることを、より一層防止できる。
【００９７】
前記防汚部材は、例えば、液密性または気密性であり、両方を備えることが好ましい。前記防汚部材は、特に制限されないが、例えば、ポリカーボネート、アクリル製等のフィルムがあげられる。前記防汚部材は、例えば、前記排気口カバー部材を覆うように、前記本体基板に固定化されることが好ましい。前記固定化は、例えば、接着剤、粘着剤等が使用できる。
【００９８】
（９）排気バイパス
本発明の分析セルは、例えば、さらに、排気バイパスを有してもよい。前記排気用バイパスは、例えば、その一端が、前記注入口と連通し、その他端が、前記排気口カバー部材を介して前記排気口と連通している。この形態によれば、外部と連通している開口を、前記注入口と前記排気口のうち前記注入口のみとすることができる。このため、前記注入口に前記注入口カバー部材を装着することで、例えば、外部から前記分析セルの内部への物質の混入、前記分析セルの内部から外部への試料の漏れだしの両方を防ぐことができる。
【００９９】
前記本体基板における前記排気バイパスの位置は、特に制限されない。本発明の分析セルを後述する分析デバイスに挿入して、励起光の照射および蛍光の取り出しを行う場合、前記排気バイパスは、前記光の光路を妨げない領域に配置されることが好ましい。前記排気バイパスは、具体例として、前記流路と並行して、前記流路の上方向に配置されてもよいし、前記流路と並行して、前記流路の横方向に配置されてもよい。
【０１００】
（１０）加熱面、照射面および取り出し面
本発明の分析セルは、例えば、後述する分析デバイスに挿入して、核酸増幅反応による分析に供することができる。前記核酸増幅反応による分析を行う場合、例えば、核酸増幅反応のために加熱が必要であり、また、検出のために、励起光の照射および反応により発生した蛍光の取り出し（検出）が必要である。この場合、本発明の分析セルは、例えば、加熱される加熱面、光照射される照射面および流路内で発生する光を取り出す取り出し面が必要となる。本発明の分析セルは、例えば、使用する分析デバイスの構造に応じて、これらの各面を設定することができる。
【０１０１】
一例として、本発明の分析セルが直方体の場合、例えば、前記本体基板の外面のうち、前記流路の流れ方向と並行ないずれかの面を、加熱される加熱面とし、前記本体基板の外面のうち、前記加熱面を除く少なくとも１つの面を、光照射される照射面とし、前記本体基板の外面のうち、前記加熱面を除く少なくとも１つの面を、前記流路内で発生する光を取り出す取り出し面とすることができる。また、前記加熱面および前記照射面を除く少なくとも１つの面を、前記取り出し面としてもよい。なお、これには限定されず、例えば、励起光と蛍光とを分離できるダイクロイックミラーを用いることで、例えば、照射面と取り出し面とを、同じ面にすることもできる。また、透明なインジウム錫酸化物ヒーターを用いることで、例えば、加熱面と、照射面または蛍光面とを、同じ面とすることができる。
【０１０２】
（１１）ＩＤチップ
本発明の分析セルは、例えば、さらにＩＤチップを備えてもよい。前記ＩＤチップは、例えば、ＲＦＩＤ（Radio  Frequency  IDentification）等があげられる。これにより、例えば、本発明の分析セルを管理することができる。
【０１０３】
（１２）試料
本発明の分析セルを用いて分析する試料は、特に制限されず、例えば、動物由来の試料、植物由来の試料、海水、土壌、排水等の環境試料、飲料水、食品等の飲食品試料等があげられる。前記動物由来の試料としては、例えば、血液（全血、分離血液細胞を含む）、血清、血漿、細胞（培養細胞系を含む）、組織、体液（耳漏、鼻汁、膿、腹水、胸水、胆汁、髄液、喀痰等）、粘膜細胞（口腔粘膜細胞、胃粘膜細胞、気道粘膜細胞等）、鼻腔粘膜および口腔粘膜等から綿棒等で採取したぬぐい液、汗、羊水、排出物（尿および糞便等）、内視鏡等による各臓器からのブラッシング、採取液、バイオプシー試料、肺胞洗浄液等の生体試料があげられる。本発明の分析セルに導入する試料は、例えば、前処理済みのサンプルでもよいし、前処理していない未処理のサンプルでもよい。
【０１０４】
（１３）分析ターゲット
本発明の分析セルを用いて分析するターゲットは、特に制限されない。本発明の分析セルは、後述する分析デバイスと共に、例えば、加熱処理と光検出とを行う分析方法に利用できる。前記加熱処理と光検出とを行う分析方法としては、例えば、核酸増幅と蛍光検出とを行う核酸の分析方法があげられる。この場合、前記分析ターゲットとなる核酸は、特に制限されず、例えば、ＤＮＡ、ｃＤＮＡ、ＲＮＡ等があげられる。前記ＲＮＡは、例えば、ｍＲＮＡ、ｍｉＲＮＡ等があげられる。前記核酸の由来は、特に制限されず、ウイルス、細菌（バクテリア）、カビ等があげられる。前記ウイルスは、例えば、各種インフルエンザウイルス、ＨＩＶ、ヘルペス等があげられ、前記細菌は、例えば、クラミジア、淋菌、トレポネーマ（梅毒）等があげられ、前記カビは、例えば、カンジダ等の真菌等があげられる。
【０１０５】
本発明の分析セルは、核酸の分析への利用には限定されない。本発明の分析セルによれば、例えば、吸光度、蛍光、発光等の測定が可能であることから、以下のような分析方法にも利用可能である。
【０１０６】
具体例として、まず、免疫分析方法への利用があげられる。前記免疫分析方法としては、特に制限されず、例えば、酵素免疫測定法（Enzyme  Immunoassay）（EIA）、ELISA（Enzyme-Linked  Immunosorbent  Assay）、化学発光免疫測定法（Chemiluminescent  Immunoassay）（CLIA）等があげられる。本発明の分析セルを免疫分析方法に利用する場合、例えば、ターゲット（分析対象物）に対する抗体または抗原を、本発明の分析セルにおける前記流路に予め固定化しておく。この場合、前記ターゲットの種類は、特に制限されず、また、使用する抗原または抗体も、特に制限されず、前記ターゲットの種類に応じて、任意に設定できる。前記流路における固定化の場所は、特に制限されず、例えば、前記流路の底面、上面、側面等のいずれでもよい。そして、この分析セルに前記試料を添加することで、前記抗体または抗原に、前記試料中のターゲットを結合させ、さらに、前記試薬部の試薬と前記ターゲットとを反応させることで、免疫を利用した分析を行うことができる。
【０１０７】
具体例として、つぎに、生化学的分析方法への利用があげられる。本発明の分析セルを生化学的分析方法に利用する場合、例えば、前記ターゲットに特異的に反応する試薬を、本発明の分析セルにおける前記試薬部に予め固定化しておく。この場合、前記ターゲットの種類は、特に制限されず、また、使用する試薬も、特に制限されず、前記ターゲットの種類に応じて、任意に設定できる。例えば、血糖値の測定を行う場合、前記試薬は、例えば、グルコースオキシダーゼ、ペルオキシダーゼ、2,2'azino-bis(3-ethylbenzothiazoline-6-sulphonic  acid)(ABTS)等があげられる。そして、この分析セルに前記試料を添加し、例えば、前記試薬に適した温度でインキュベートし、前記ターゲットと試薬とを反応させることで、分析を行うことができる。
【０１０８】
つぎに、本発明の分析セルについて、図面を用いて具体的に説明する。各図において、同一箇所には同一符号を付している。なお、本発明は、これらの例示には限定されない。
【０１０９】
（実施形態１）
本実施形態の分析セルの一例について、図１および図２を用いて説明する。
【０１１０】
図１は、分析セルの一例を示す概略図であり、図１（Ａ）は、分析セル１の上面図であり、図１（Ｂ）は、図１（Ａ）における分析デバイス１のＩ−Ｉ方向断面図であり、図１（Ｃ）は、図１（Ａ）における分析デバイス１のII−II方向断面図である。
【０１１１】
図１に示すように、分析セル１は、本体基板１０、注入口カバー部材１１、および排気口カバー部材１２を有する。本体基板１０は、注入口１３、排気口１４、注入口１３と排気口１４とに連通する流路１５を有し、流路１５には、試薬部１６が配置されている。本体基板１０には、注入口カバー部材１１が連結されており、注入口カバー部材１１は、キャップ形状であり、注入口１３に着脱可能である。図１において、矢印Ｘは、流路１５におけるサンプルの流れ方向であり、矢印Ｙは、幅方向、矢印Ｚは、厚み方向である。
【０１１２】
本体基板１０は、上基板１０１と下基板１０２とを有し、下基板１０２の上に上基板１０１が積層されている。上基板１０１と下基板１０２とは、例えば、接着剤および粘着剤等を介して一体化されてもよいし、超音波融着等により一体化されてもよい。上基板１０１は、上流側に貫通孔１３と、下流側に２つの貫通孔１４１、１４２を有し、下基板１０２は、上基板１０１との対向面に、凹部１５を有する。上基板１０１と下基板１０２との積層体において、凹部１５は流路を形成し、流路１５に連通する上流側の貫通孔１３は、注入口となり、流路１５に連通する下流側の貫通孔１４１、１４２は、排気口１４となる。流路１５は、矢印Ｘ方向に向かって広がる形状であり、具体的には、テーパー状である。
【０１１３】
上基板１０１は、上方向に突出する筒状の突出部１３２を有し、突出部１３１の開口が注入口１３である。注入口１３の開口から流路１５の上流端部までの領域は、中空の筒状部であり、ガイド部となり、注入口１３の内側には、傾斜１３１を有している。傾斜１３１により、スポイト等のサンプル供給用ツールの先端が分析セル１に挿入しやすくなる。
【０１１４】
注入口カバー部材１１は、注入口カバー部材本体１１１と連結部１１２とを有し、連結部１１２は、注入口カバー部材本体１１１と本体基板１０とを連結している。連結部１１２は、例えば、注入口カバー部材本体１１１と一体成形されており、本体基板１０には、接着剤等により固定化されている。
【０１１５】
本体基板１０は、その上面に、排出口１４を覆うように、排出口カバー部材１２が配置されている。排出口カバー部材１２は、例えば、超音波溶着、熱溶着、または接着剤等により固定化されている。
【０１１６】
分析セル１および各部位の形状および大きさは、特に制限されず、例えば、以下のような条件が例示できる。
【０１１７】
分析セル１
形状：  直方体
長さ：  ４５ｍｍ
幅：  １０ｍｍ
厚み：  ２．６ｍｍ
上基板１０１
形状：  直方体
長さ：  ４５ｍｍ
幅：  １０ｍｍ
厚み：  １．１ｍｍ
下基板１０２
形状：  直方体
長さ：  ４５ｍｍ
幅：  １０ｍｍ
厚み：  １．５ｍｍ
流路１５
内部の断面形状：直方体
長さ：  ２９ｍｍ
幅：上流端部  １．５ｍｍ
下流端部  ４ｍｍ
深さ：  ０．６ｍｍ
広がり角度：  ５度
注入口１３
形状：  円形
上端の内径：  ３ｍｍ
筒状部の内径：  １．５ｍｍ
突出部１３２の高さ：  ４ｍｍ
排出口１４（１４１、１４２）
形状：  円形
上端の内径：  １ｍｍ
排出口カバー部材１２
形状：  長方形
長さ：  １１ｍｍ
幅：  ９ｍｍ
厚み：  ０．０７ｍｍ
【０１１８】
流路１５の上端部の幅は、例えば、それに接触する注入口の幅（前記筒状部の内径）以下であることが好ましく、具体例としては、ほぼ同じである。この条件と、流路１５の広がり形状によって、例えば、分析セル１の流路１５に気泡が入ることを十分に防ぐことができる。
【０１１９】
排出口１４の形状および個数は、前述のように、特に制限されない。図２の平面図に、上基板１０１における排出口のバリエーションを示す。図２（Ａ）の上基板１０１は、１つの排出口１４を有し、排出口１４の形状は、上基板１０１の幅方向に沿ったスリット状である。図２（Ｂ）の上基板１０１は、その幅方向に沿って、３つの排出口１４１、１４２、１４３を有する。
【０１２０】
つぎに、本発明の分析セルの使用方法について、試料中のターゲットを核酸増幅し、得られた増幅産物を蛍光により検出する例を、図４を用いて説明する。
【０１２１】
図４は、分析セル１の使用状態の一例を示す概略の断面図であり、図４（Ａ）〜（Ｄ）は、それぞれの工程を示す。図４の分析セル１は、図２（Ａ）のスリット状の排出口１４を有する上基板１０１である以外は、図１と同様である。本例において、試薬部１６の試薬は、前述のような核酸増幅用試薬であり、蛍光を発する前記標識化プローブを含み、前記標識化プローブは、ターゲットへ結合すると、励起光照射により蛍光を発するプローブとする。
【０１２２】
図４（Ａ）に示すように、分析セル１は、使用前において、注入口１３には、注入口カバー部材１１が装着されている。注入口カバー部材１１によって、外部からの物質の混入が防止される。そして、まず、図４（Ｂ）に示すように、注入口カバー部材１１を外し、スポイト２を用いて核酸を含む試料３を注入する。この際、注入口１３の内部は、傾斜１３１を有することから、これに沿ってスポイト２を容易に注入口１３に導入できる。
【０１２３】
流路１５に注入された試料３は、例えば、毛管現象により、流路１５内部を矢印Ｘ方向に向かって、液体を通過しない排気口カバー部材１２の配置箇所まで移動する。図４（Ｃ）に示すように、流路１５の試薬部１６中の試薬１６１（前記核酸増幅試薬）は、流路１５内に満たされた試料３と接触することによって、試料３中に溶解し、拡散される。なお、試料３の注入が終了した時点で、注入口１３に再度注入口カバー部材１１を装着する。
【０１２４】
そして、分析セル１を、外部の加熱部により加熱し、流路１５内のサンプルと前記試薬とによる核酸増幅反応を行う。核酸増幅反応により前記サンプル中のターゲット４が増幅すると、得られた増幅産物に前記標識化プローブがハイブリダイズする。そして、図４（Ｄ）に示すように、流路１５に、ＬＥＤ等の外部の光源５０により励起光５１を照射し、前記増幅産物にハイブリダイズした前記標識化プローブから蛍光を発生させ、その蛍光６１を、外部の光検出部６０により検出する。前記励起光の照射および蛍光の検出の条件は、特に制限されず、例えば、使用する前記標識化プローブの標識物質の種類に応じて適宜決定できる。分析セル１に対する、前述の加熱、励起光照射および蛍光検出は、例えば、後述する分析デバイスに分析セル１を装着することによって行うことができる。
【０１２５】
分析セル１は、例えば、下面（底面）が、加熱される加熱面であり、上面が、光照射される照射面であり、流路１５の下流側の面（長さ方向の下流側面）が、光を取り出す取り出し面である。
【０１２６】
（実施形態２）
本実施形態は、本発明の分析セルにおける試薬部に関する。
【０１２７】
図５に、本発明の分析セルにおける流路の一部の断面を示す。図５に示すように、本実施形態は、上基板１０１と下基板１０２との間の流路１５において、下基板１０２上に、複数の試薬部１６ａ〜１６ｅが配置されている。
【０１２８】
試薬部１６ａ〜１６ｅは、前記試薬および前記難水溶性物質を含む乾燥組成物である。前記各試薬部は、例えば、前記試薬、前記難水溶性物質および前記溶媒を含む液体組成物を、下基板１０２上に塗布し、乾燥させることで形成できる。前記乾燥組成物において、前記試薬および前記難水溶性物質の濃度は、特に制限されず、前記流路あたりに配置する各試薬の量に応じて、適宜設定できる。乾燥条件は、特に制限されず、自然乾燥、加熱乾燥、風乾、凍結乾燥等があげられる。
【０１２９】
試薬部１６ａ〜１６ｅは、それぞれ異なる試薬を含有させることができる。流路１５の試薬部１６ａ〜１６ｅは、例えば、試料と混合させる順番に従って、流れ方向に沿って各試薬を含有することが好ましい。なお、本形態においては、試薬部１６ａ〜１６ｅを下基板１０２に設けた例を示したが、これには制限されず、上基板１０１に設けてもよい。また、本形態においては、流路１５に複数の試薬部を有する例を示したが、これには制限されず、１つの試薬部を有するのみでもよいし、各試薬部に同じ試薬が配置されてもよい。
【０１３０】
図６に、本発明の分析セルにおける流路の一部の断面を示す。図６に示すように、本実施形態は、上基板１０１と下基板１０２との間の流路１５において、上基板１０１上に、試薬部１６が配置されている。
【０１３１】
試薬部１６は、前記試薬を含む熱溶解性フィルムである。試薬部１６は、例えば、前記試薬を含む前記熱溶解性ポリマーをフィルム化することで形成できる。上基板１０１への配置は、例えば、上基板１０１に、直接、前記試薬含有の熱溶解性ポリマーを塗布し、固化してもよいし、予めフィルム化を行い、前記熱溶融性フィルムを上基板１０１に配置してもよい。後者の場合、上基板１０１への前記熱溶解性フィルムの配置は、例えば、接着剤等により固定化してもよい。
【０１３２】
このように試薬部１６を上基板１０１に設けた場合、溶解した前記熱溶解性フィルムの熱溶解性ポリマーは、例えば、生体サンプルよりも比重が高いため、下方向に拡散する。このため、前記熱溶解性フィルムに含まれていた前記試薬も、前記熱溶解性ポリマーと共に拡散しながら、サンプルと効率良く混和することができる。なお、本形態においては、試薬部１６を上基板１０１に設けた例を示したが、これには制限されず、下基板１０２に設けてもよい。
【０１３３】
（実施形態３）
本実施形態は、防汚部材として防汚フィルムを有する本発明の分析セルに関する。
【０１３４】
図７に、防汚フィルムを有する分析セルの断面図を示す。図７に示すように、分析セル５は、防汚フィルム１７を有する。防汚フィルム１７は、流れ方向において、通液阻止部材１２の後方に配置され、図７においては、排出口カバー部材１２の上に、それを覆うように配置されている。
【０１３５】
防汚フィルム１７によれば、試料の注入後、外部に試料が漏れ出ること、また、外部からの不純物の混入を防止できる。このため、防汚フィルム１７は、分析セル５に試料を注入した後、反応を開始する前に、排出口カバー部材１２の上に配置される。防汚フィルム１７は、例えば、固定化が容易であることから、シールが好ましい。
【０１３６】
（実施形態４）
本実施形態は、排気バイパスを有する本発明の分析セルに関する。
【０１３７】
図８に、排気バイパスを有する分析セルの断面図を示す。図８に示すように、分析セル６は、排気バイパス１８を有する。排気バイパス１８は、厚み方向において、流路の上方に位置し、その一端が、注入口１３と連通し、その他端が、排出口カバー部材１２を介して排気口１４と連通している。
【０１３８】
図９に、排気バイパスを有するその他の分析セルの断面図を示す。図９の分析セル９は、排気バイパスが、平面方向において、流路と水平に設けられている形態である。なお、図９は、前記排気バイパスの構成を説明するため、前記注入口カバー部材は、省略して示す。
【０１３９】
図９は、分析セルの一例を示す概略図であり、図９（Ａ）は、分析セル９の上面図であり、図９（Ｂ）は、図９（Ａ）における突出部の概略を示す斜視図であり、図９（Ｃ）は、図９（Ａ）における分析セル９のIII−III方向断面図である。
【０１４０】
本体基板９０は、上基板９０１と下基板９０２とを有し、下基板９０２の上に上基板９０１が積層されている。
【０１４１】
下基板９０２は、流路となる凹部１５と、凹部１５の幅方向の外側において、流れ方向に伸びる凹部９５１、９５２とを有する。前記流れ方向に伸びる凹部は、それぞれ、排気通路９５１、９５２となる。
【０１４２】
上基板９０１は、上流側に、上方向に突出する筒状の突出部９３２を有し、突出部９３２の開口が注入口９３となる。また、突出部９３２は、その側壁部において、厚み方向に貫通する貫通孔９４３を有する。貫通孔９４３は、下基板９０２の排気通路９５１および９５２と連結して、排気口となる。
【０１４３】
上基板９０１は、下流側の幅方向において、凹部形状を有し、へこみ領域（すなわち、上面が、幅方向の端部よりも低い領域）に、排気口となる２つの貫通孔９４１、９４２を有する。排気口９４２、９４１は、前記へこみ領域に形成されていることから、上基板９０１は、前記へこみ領域の上面と、前記幅方向端部の上面との間に、空間を有する。上基板９０１は、この空間において、排気口９４２、９４１を覆うように、排出口カバー部材９２が配置されている。上基板９０１は、さらに、前記凹部形状のへこみ領域を覆うように、防汚部材９７が配置される。本実施形態における防汚部材９７は、例えば、液密性且つ気密性であることが好ましく、前記実施形態３で示したような防汚フィルム、シーリングキャップ、樹脂板等があげられる。
【０１４４】
上基板９０１は、さらに、排気口９４１，９４２の幅方向の外側に、排気口９４１、９４２と、下基板９０２の排気通路９５１、９５２とを、前記空間を介して連通する連通路９６１、９６２を有する。
【０１４５】
これらの構成によって、上基板９０１と下基板９０２との積層体である分析セル９は、流路１５に連通した排気口９４１、９４２が、前記空間および連通路９６１、９６２を介して、排気通路９５１、９５２と連通する。そして、排気通路９５１、９５２は、上流側の端部において、突出部９３２の排気口９４３と連通する。分析セル９は、下流側において、排出口９４１、９４２の上が、排気口カバー部材９２で覆われ、さらに、排出口９４１、９４２の上方の前記空間が、防汚部材９７で覆われている。このため、防汚部材９７を液密性且つ気密性とすることによって、流路１５からの排気は、排出口９４１、９４２を通過し、連通路９６１、９６２を介して、排気通路９５１、９５２を通り、上流側の排気口９４３に向かう。突出部９３２には、例えば、前記実施形態１の図１に示す注入口カバー部材が装着できる。このため、注入口カバー部材を液密性且つ気密性とすることによって、装着により、注入口９３と排出口９４３の両方が、液密性且つ気密性となるようにカバーされ、前記試料や排気が外部へ漏れることを防ぐことができる。
【０１４６】
（実施形態５）
本実施形態は、本発明の分析セルにおける排気口のバリエーションに関する。
【０１４７】
図１０に、排気口を有する分析セルの平面図を示す。なお、図１０は、排気口の説明であることから、特に示さない限り、その他の構成要件は省略するが、これには制限されない。
【０１４８】
図１０（Ａ）は、分析セル８が、流路１５の下流に２つの排気口を有する形態である。図１０（Ａ）に示すように、分析セル８は、下流側の端部の側面に、２つの貫通孔８７１、８７２を有し、流路１５と２つの貫通孔８７１、８７２は、それぞれ、空気の導出路８８１、８８２を介して、連通している。そして、分析セル８には、空気の導出路８８１、８８２の途中であって、断面方向に、排気口カバー部材８２が固定化されている。この形態においては、空気の導出路８８１、８８２における排気口カバー部材８２の上流側領域が、排気口８４１、８４２となり、流路１５から排気口カバー部材８２を通過した空気は、貫通孔８７１、８７２から外部に導出される。
【０１４９】
図１０（Ｂ）は、分析セル９が、流路１５に対する幅方向側に２つの排気口を有する形態である。図１０（Ｂ）に示すように、分析セル９は、下流側の側面に、２つの貫通孔８７１、８７２を有し、流路１５と２つの貫通孔８７１、８７２は、それぞれ、空気の導出路８８１、８８２を介して、連通している。そして、分析セル９には、空気の導出路８８１、８８２の途中であって、断面方向に、排気口カバー部材８２１、８２２がそれぞれ固定化されている。この形態においては、空気の導出路８８１、８８２における排気口カバー部材８２１、８２２の流路１５側領域が、排気口８４１、８４２となり、流路１５から排気口カバー部材８２１、８２２を通過した空気は、貫通孔８７１、８７２から外部に導出される。
【０１５０】
［分析デバイス］
本発明の分析デバイスは、前述のように、分析セルの挿入部，分析セルの加熱部、分析セルに光を照射する光源、分析セルからの光を検出する光検出部および検出された光をシグナルに変換するシグナル変換部を有し、前記本発明の分析セル用であることを特徴とする。
【０１５１】
本発明の分析デバイスにおいて、前記分析セルの挿入部は、例えば、本体ケースということもできる。前記本体ケースは、例えば、筐体であり、その材質は、特に制限されず、例えば、プラスチック部材があげられる。
【０１５２】
本発明の分析デバイスにおいて、前記挿入部は、例えば、前記分析セルの挿入方向が、前記分析セルの流路方向と、並行である。この場合、例えば、前記挿入部の側面のうち、前記分析セルの挿入方向と並行ないずれかの側面であって、その内側または外側に、前記加熱部が配置され、前記挿入部の側面のうち、前記加熱部の配置面を除く少なくとも１つの側面であって、その内側に、光源が配置され、前記挿入部の側面のうち、前記加熱部の配置面および前記光源の配置面を除く少なくとも１つの側面であって、その内側に、前記光検出部が配置されている例があげられる。このような形態により、例えば、前記分析セルに対する、加熱経路と励起光の入射経路とを分離することが可能であり、これによって、加熱と蛍光検出を、同時に高能率で実現可能である。
【０１５３】
なお、本発明は、この形態には制限されず、例えば、前記光源が配置される面と、前記検出部が配置される面とが、同じ面であってもよい。
【０１５４】
前記加熱部は、特に制限されず、例えば、ヒーターがあげられる。前記ヒーターは、例えば、０．０３〜３ｍｍ程度の薄型であることが好ましい。本発明の分析デバイスは、例えば、挿入される前記分析セルと前記加熱部との間に、さらに、熱伝導材が配置されていることが好ましい。例えば、熱伝導材としては、熱伝導率が高い、アルミ板、銅板等が好ましい。このように、薄型ヒーターと熱伝導材とを組合せることによって、例えば、前記分析デバイスのさらなる薄型化が可能であり、また、より迅速な加熱が可能となる。
【０１５５】
前記光源部は、特に制限されず、例えば、ＬＥＤ、光ファイバー等が使用できる。前記光源部の種類は、例えば、前記分析セルにおける試薬の種類に応じて、適宜決定でき、前記試薬に応じた励起光を照射できるものが好ましい。本発明の分析デバイスは、例えば、前記光源部と、挿入される前記分析セルとの間に、さらに、励起光フィルタを備えてもよい。また、本発明の分析デバイスは、例えば、さらに、導光板を備えてもよく、前記導光板を用いて、前記励起光を、挿入された前記分析セルに導入してもよい。
【０１５６】
本発明の分析デバイスにおいては、本発明のセルを使用するため、例えば、ＬＥＤ光源を用いた励起光の面照射が可能である。例えば、マイクロウェルプレートまたはエッペンドルフチューブ等を用いた従来の分析の場合、前記ウェルまたは前記チューブの底に溜まった増幅産物を検出するために、分析デバイスは、前記ウェル等の上方から、前記ウェル等の底に対して、高輝度の励起光を絞って照射する必要がある。このため、前記分析デバイスが備える光源としては、例えば、水銀ランプ、レーザー等が使用される。これに対して、本発明のセルは、流路を有するセルであり、前記流路において、例えば、核酸増幅等の反応を行うため、前記流路に対して励起光の面照射が可能である。このため、本発明の分析デバイスによれば、従来の分析デバイスとは異なり、例えば、水銀ランプおよびレーザー等よりも光量が少ないＬＥＤを光源として使用することができ、ＬＥＤの使用によって、例えば、効率の良い励起、高感度の検出、微量の試料の検出等が可能である。また、前記光源としてＬＥＤを使用することによって、本発明の分析デバイスは、例えば、より小型化が可能である。
【０１５７】
前記光検出部は、例えば、蛍光フィルタ、レンズおよび光検出器を有し、前記挿入部の側面に近い方から、前記蛍光フィルタ、前記レンズおよび前記光検出器がこの順序で配置されている。また、本発明の分析デバイスは、例えば、さらに、光ファイバーまたは導光板を備えてもよく、前記分析セル内で生じた蛍光は、例えば、光ファイバーまたは導光板を介して、前記蛍光フィルタまたは前記レンズに導入してもよい。
【０１５８】
前記蛍光フィルタは、検出する蛍光の種類に応じて適宜設定できる。前記レンズは、例えば、集光レンズである。
【０１５９】
前記光検出部は、例えば、ＣＣＤ（Charge  Coupled  Device）等の固体光検出素子があげられ、具体例としては、アバランシュフォトダイオード（ＡＰＤ）等のフォトダイオード等があげられる。前記光検出部は、例えば、この他に、光電子倍増管があげられる。
【０１６０】
本発明の分析デバイスは、例えば、挿入される前記分析セルと前記光源との間に、さらに、励起フィルタまたはダイクロイックミラー等が配置されてもよい。前記励起フィルタおよび前記ダイクロイックミラーは、例えば、照射する励起光の種類に応じて適宜決定できる。前記励起フィルタは、例えば、特定の波長を透過する干渉フィルタがあげられ、具体例として、例えば、短波長透過型干渉フィルタがあげられる。
【０１６１】
本発明の分析デバイスは、例えば、さらに、端子を有してもよい。前記端子は、例えば、ＵＳＢ端子、メモリ端子等があげられ、前記メモリ端子は、例えば、フラッシュメモリ端子等も含まれる。
【０１６２】
つぎに、本発明の分析セルが挿入された本発明の分析デバイスについて、各部位の関係を、図１１を用いて説明する。なお、以下の例では、核酸増幅試薬を用いて、サンプル中のターゲットを増幅させ、前記増幅を蛍光により検出する形態をあげる。
【０１６３】
図１１は、分析セル１と分析デバイスの各部位との関係を示す概略図であり、具体的には、サンプルが注入された分析セル１を分析デバイスに挿入した状態である。図１１に示すように、分析セル１の底面は、熱伝導材９８を介して加熱部９１と対向する。加熱部９１により、分析セル１を加熱することで、分析セル１の流路１５内の核酸増幅試薬と前記サンプルとの間で核酸増幅反応が行われる。つぎに、分析セル１の上面に配置されている光源５０（ＬＥＤ）から励起光フィルタ５２を介して、分析セル１の流路１５に光を照射する。そして、分析セル１の流路１５内において発生した蛍光を、分析セル１の流れ方向の下流側末端に配置された光検出器６０により検出する。この際、分析セル１と光検出器６０との間には、上流側から蛍光フィルタ６２とレンズ６３とが配置されており、検出対象の蛍光を蛍光フィルタ６２により取り出し、取り出した光をレンズ６３で集光して、光検出器６０で検出する。
【０１６４】
［分析装置］
本発明の分析装置は、前述のように、前記本発明の分析セルと前記本発明の分析デバイスとを有することを特徴とする。本発明の分析装置は、前述した、前記本発明の分析セルおよび前記本発明の分析デバイスの説明を援用できる。
【０１６５】
［分析システム］
本発明の分析システムは、前述のように、分析手段と、記憶手段と、表示手段とを有し、前記分析手段は、試料の分析を行う前記本発明の分析装置であり、前記記憶手段は、前記分析手段による分析結果を記憶する手段であり、前記表示手段は、前記分析結果を表示する手段であることを特徴とする。
【０１６６】
前記記憶手段は、前記分析手段である本発明の分析装置による分析結果を記憶する手段である。前記記憶手段は、特に制限されず、例えば、データベース、サーバ、ランダムアクセスメモリ（ＲＡＭ）、ＵＳＢメモリ、読み出し専用メモリ（ＲＯＭ）、ハードディスク（ＨＤ）、光ディスク、フロッピー（登録商標）ディスク（ＦＤ）等があげられる。
【０１６７】
前記表示手段は、前記分析手段による分析結果を表示する手段である。前記表示手段は、特に制限されず、例えば、携帯電話、スマートフォン、タブレット、ＰＣ（パーソナルコンピュータ）等のモニター等があげられる。
【０１６８】
本発明の分析システムは、例えば、端末とサーバとを有し、前記端末が、前記分析手段を有し、前記サーバが、前記記憶手段および前記表示手段を有し、前記端末と前記サーバは、通信回線網を介して接続可能である形態があげられる。本発明の分析装置は、前述のように、小型化可能であるため、ポータブルの端末とし、通信回線網を介してサーバと接続し、前記サーバで前記端末での分析結果を記憶することができる。
【０１６９】
本発明の分析システムは、例えば、端末とサーバとを有し、前記端末が、前記分析手段を有し、前記分析手段が、さらに端子を有し、前記サーバが、前記記憶手段および前記表示手段を有し、前記端末と前記サーバは、前記端末の端子を介して前記サーバに接続可能である形態があげられる。本発明の分析装置は、前述のように、小型化可能であるため、前記端末の端子を介して、前記サーバに接続し、前記サーバで前記端末の分析結果を記憶することができる。前記端子は、例えば、ＵＳＢ端子等があげられる。
【０１７０】
本発明の分析システムは、例えば、さらに、前記分析手段の端末とは別に、表示手段の端末を有してもよく、表示用端末は、前記サーバと通信回線網を介して接続可能である。前記端末は、例えば、携帯電話、スマートフォン、タブレット、ＰＣ（パーソナルコンピュータ）等のモニター等があげられる。
【０１７１】
本発明の分析システムにおける前記表示手段の表示画面の一例を、図１２に示す。
【実施例】
【０１７２】
［実施例１］
流路の上面に、ビーズ含有アガロースフィルムを固定化し、加熱によるサンプルへの溶解を確認した。【０１７３】
以下のようにして、試薬部１６、キャップ１１および突出部１３２を形成しておらず、且つ、流路１５の上面に、前記実施形態２の図６（Ａ）に示すような、ビーズ含有アガロースフィルムが固定化された以外は、前記実施形態１の図１と同様の分析セル１を作製した。【０１７４】
まず、０．２％セルロースビーズ(粒径１０μｍ)を含む溶液状の２％アガロース  ３μＬを、流路１５の上面を形成する上基板１０１の表面に塗布することによって、前記セルロースマイクロビーズを含むアガロースフィルムを固定化した。そして、上基板１０１と下基板１０２とを積層して、図６（Ａ）に示すように、流路１５の上面に前記アガロースフィルムが固定化された分析セル１を作製した。上基板１０１および下基板１０２は、ＵＶ透過性のアクリル製基板を使用した。また、上基板１０１および下基板１０２の大きさおよび形状は、上基板が、図１に示す突出部１３２を有さない以外は、前記実施形態１の例示の通りとした。流路１５の形状および大きさも、前記実施形態１の例示の通りとした。【０１７５】
そして、上基板１０１が上方向、下基板１０２が下方向となるように、セル１を水平台に置き、セル１の流路１５に、１μｇ／ｍＬ  蛍光色素ＤＡＰＩを含むMilli-Q水  ６０μＬを注入した後、セル１を上基板１０１側から、６５℃で１０分加熱した。加熱後、セル１について、下基板１０２の底面側から、倒立蛍光顕微鏡により蛍光観測を行った。この結果を、図１３に示す。図１３は、セル１の下基板１０２の底面側から観察した流路の写真であり、上が加熱前の写真であり、下が加熱後の写真である。図１３に示すように、加熱前のセル１は、前記ＤＡＰＩ含有水を添加しても、前記セルロースマイクロビーズを含むアガロースフィルムが、セル１の流路１５の表面に固定化されている状態が維持された。これに対して、加熱後のセル１は、前記アガロースフィルムが溶解し、流路１５内の前記ＤＡＰＩ含有水中に前記マイクロビーズが拡散されていた。この結果から、試薬を含有するアガロースフィルムを流路内に固定化することによって、アガロースフィルムが溶解されるまで、前記試薬の流路内への拡散を防止できることがわかった。これによって、例えば、所定の加熱温度に達するまで、前記試薬による非特異的な反応を防止できるといえる。【０１７６】
［実施例２］
試薬部１６、キャップ１１および突出部１３２を形成していない以外は、前記実施形態１における図１（Ａ）と同様のセル１を作製した。セル１における流路１５の大きさは、前記実施形態１における例示の通りとした。そして、セル１の注入口１３から流路１５内に、ピペットを用いて、ＣＢＢ溶液８０μＬを充填した。前記ＣＢＢ溶液は、Milli-Q水に、クマシーブリリアントブルーR-250を、目視確認の容易な終濃度０．１％（ｗ／ｖ）となるように溶かして調製した。図１４に、セル１の写真を示す。図１４において、（Ａ）は、ＣＢＢ溶液を充填していない状態のセル１の写真であり、（Ｂ）は、ＣＢＢ溶液を充填した状態のセル１の写真である。図１４（Ｂ）に示すように、ＣＢＢ溶液を充填した際、セル内に、気泡が入ることなく、簡便にＣＢＢ溶液を充填できた。【０１７７】
以上、実施形態および実施例を参照して本願発明を説明したが、本願発明は、上記実施形態および実施例に限定されるものではない。本願発明の構成や詳細には、本願発明のスコープ内で当業者が理解しうる様々な変更をできる。【０１７８】
この出願は、２０１６年８月３日に出願された日本出願特願２０１６−１５３１３２を基礎とする優先権を主張し、その開示の全てをここに取り込む。
【産業上の利用可能性】
【０１７９】
本発明によれば、例えば、分析セルおよび分析デバイス等の小型化が可能であり、簡便な操作でサンプル中のターゲットを分析できる。
【符号の説明】
【０１８０】
１、５、６、８、９      分析セル
３        サンプル
４        ターゲット
１０      本体基板
１０１    上基板
１０２    下基板
１１      注入口カバー部材
１２、８２、８２１、８２２      排気口カバー部材
１３      注入口
１４、８４１、８４２      排気口
１５      流路
１６、１６ａ〜１６ｅ      試薬部
１６１    試薬
５０      光源
５１      励起光
５２      励起光フィルタ
６０      光検出部
６１      蛍光
６２      蛍光フィルタ
６３      レンズ
８７１、８７２      貫通孔
８８１、８８２      空気の導出路
【図１】
2018025705.tif 000003
【図２】
2018025705.tif 000004
【図３】
2018025705.tif 000005
【図４】
2018025705.tif 000006
【図５】
2018025705.tif 000007
【図６】
2018025705.tif 000008
【図７】
2018025705.tif 000009
【図８】
2018025705.tif 000010
【図９】
2018025705.tif 000011
【図１０】
2018025705.tif 000012
【図１１】
2018025705.tif 000013
【図１２】
2018025705.tif 000014
【図１３】
2018025705.tif 000015
【図１４】
2018025705.tif 000016
【国際調査報告】
2018025705.tif 000017
2018025705.tif 000018
2018025705.tif 000019
2018025705.tif 000020